(57)【要約】【課題】耐力壁を備える壁式構造の建物における配管の手間を低減させるとともに、耐力壁における構造耐力の低下を抑制する。【解決手段】非耐力柱構造は、耐力壁１０を備える壁式構造の建物に設置される非耐力柱構造１であって、建物の床と天井との間に立設されるとともに、内部に設備線Ｌが挿通される中空部Ｓを有する本体部２を備え、本体部２の側面には、中空部Ｓに挿通された設備線Ｌの取り出し部６が設けられている。【選択図】図１
2018016943.tif 000002
【特許請求の範囲】
【請求項１】
耐力壁を備える壁式構造の建物に設置される非耐力柱構造であって、
前記建物の床と天井との間に立設されるとともに、内部に設備線が挿通される中空部を有する本体部を備え、
当該本体部の側面には、前記中空部に挿通された前記設備線の取り出し部が設けられている、非耐力柱構造。
【請求項２】
前記中空部は、前記床を介して建物の床下空間と連通している、請求項１に記載の非耐力柱構造。
【請求項３】
前記中空部は、前記天井を介して建物の天井裏空間と連通している、請求項１又は２に記載の非耐力柱構造。
【請求項４】
前記設備線は、少なくとも電気配線を含み、
前記取り出し部は、前記電気配線に接続されたスイッチボックス及びコンセントボックスの少なくとも一方を含んでいる、請求項１〜３のいずれか一項に記載の非耐力柱構造。
【請求項５】
前記本体部は、前記耐力壁の端部に設置されている、請求項１〜４のいずれか一項に記載の非耐力柱構造。
【請求項６】
前記本体部は、前記耐力壁の厚さ以下の断面寸法を有する、請求項５に記載の非耐力柱構造。
【請求項７】
前記本体部は、前記建物内に設けられた部屋の開口部に隣接して配置されている、請求項１〜６のいずれか一項に記載の非耐力柱構造。
【請求項８】
前記開口部には、扉が設置されており、
前記本体部には、前記扉を設置するための扉枠が取り付けられている、請求項７に記載の非耐力柱構造。
【請求項９】
前記本体部は、前記建物の外周壁に形成された窓部に隣接して配置されている、請求項１〜６のいずれか一項に記載の非耐力柱構造。
【発明の詳細な説明】
【技術分野】
【０００１】
本発明は、非耐力柱構造に関する。
【背景技術】
【０００２】
従来、組積造、ＲＣ造等による壁式構造の建物が知られている。このような壁式構造の建物では、建物を構成する壁体内に配管、配線等が行われる場合がある。例えば、特許文献１には、建築用ブロックによって構成される壁構造が開示されている。この建築用ブロックは、表面側と裏面側とにそれぞれ空洞を有している。そして、建築用ブロックの表裏のいずれか一方の空洞には、断熱材が充填されており、他方の空洞には配線や配管が収容されている。また、一般にＲＣ造の場合には、壁体内に配置されたＣＤ管、ＰＦ管等の内側に配線や配管が収容されている。
【先行技術文献】
【特許文献】
【０００３】
【特許文献１】特開２００１−１０７４８５号公報
【発明の概要】
【発明が解決しようとする課題】
【０００４】
しかしながら、上記のような技術では、専用の空洞が設けられたブロックを使用する必要があり、又は、壁体内に予めＣＤ管やＰＦ管等の管体を埋設しておく必要があり、施工に手間がかかる虞がある。また、壁式構造の建物では、壁体が耐力壁を構成している。そのため、壁体に空洞や電線管のような欠損部が形成された場合、構造耐力が低下する虞がある。
【０００５】
本発明の一側面は、配管の手間を低減させるとともに、耐力壁における構造耐力の低下を抑制することができる配線・配管構造を提供することを目的とする。
【課題を解決するための手段】
【０００６】
本発明の一側面は、耐力壁を備える壁式構造の建物に設置される非耐力柱構造であって、建物の床と天井との間に立設されるとともに、内部に設備線が挿通される中空部を有する本体部を備え、本体部の側面には、中空部に挿通された設備線の取り出し部が設けられている。
【０００７】
このような非耐力柱構造では、取り出し部が設けられた本体部の中空部に設備線を挿通することができるので、耐力壁を構成する壁体に設備線を配置するための空洞や電線管を設ける必要がない。そのため、配管の手間を減少することができるとともに、耐力壁の構造耐力が低下することが抑制される。
【０００８】
また、中空部は、床を介して建物の床下空間と連通していてもよい。また、中空部は、天井を介して建物の天井裏空間と連通していてもよい。このような構成によれば、床下空間や天井裏空間を利用することによって、設備線の横引きを容易に行うことができる。
【０００９】
また、本体部は、耐力壁の端部に設置されていてもよい。この場合、本体部が耐力壁に沿って配置されるので、室内空間に張り出しにくく、室内空間を有効に利用できる。
【００１０】
また、設備線は、少なくとも電気配線を含み、取り出し部は、電気配線に接続されたスイッチボックス及びコンセントボックスの少なくとも一方を含んでいてもよい。この場合、スイッチボックス等を別途配設する手間を省くことができる。
【００１１】
また、本体部は、耐力壁の厚さ以下の断面寸法を有していてもよい。これにより、非耐力柱構造の本体部が耐力壁から突出することを抑制でき、更に室内空間を有効に利用できる。
【００１２】
また、本体部は、建物内に設けられた部屋の開口部に隣接して配置されていてもよい。一般に、開口部周辺には家具が配置されにくいので、開口部に隣接して本体部が配置された場合には、本体部における設備線の取り出し部が家具の陰になりにくい。
【００１３】
また、開口部には、扉が設置されており、本体部には、扉を設置するための扉枠が取り付けられていてもよい。この場合、扉枠を固定するための下地材が不要となるので、扉を取り付ける際の手間を省くことができ、さらに、開口部の有効幅を大きくすることができる。
【００１４】
また、本体部は、建物の外周壁に形成された窓部に隣接して配置されていてもよい。一般に、窓部周辺には家具が配置されにくいので、窓部に隣接して本体部が配置された場合には、本体部における設備線の取り出し部が家具の陰になりにくい。
【発明の効果】
【００１５】
上記の非耐力柱構造によれば、配管の手間を低減させるとともに、耐力壁における構造耐力の低下を抑制することができる配線・配管構造を提供することができる。
【図面の簡単な説明】
【００１６】
【図１】非耐力柱構造を示す分解斜視図である。
【図２】非耐力柱構造を示す縦断面図である。
【図３】非耐力柱構造の配置関係を示す平面図である。
【図４】非耐力柱構造の配置関係を示す平面図である。
【図５】非耐力柱構造が配置された建物の間取りの一例を示す平面図である。
【図６】非耐力柱構造が配置された建物の間取りの一例を示す平面図である。
【発明を実施するための形態】
【００１７】
以下、本発明に係る実施の形態について図面を参照しながら具体的に説明する。便宜上、実質的に同一の要素には同一の符号を付し、その説明を省略する場合がある。
【００１８】
図１は、一実施形態に係る非耐力柱構造を示す分解斜視図である。また、図２は、非耐力柱構造を示す縦断面図である。本実施形態に係る非耐力柱構造１は、組積造、ＲＣ造等による耐力壁１０を備える壁式構造を有する建物に設置される。すなわち、非耐力柱構造１は、壁式構造を構成する耐力壁１０とは別体として（建物に作用する鉛直荷重や水平荷重を負担しない柱として）形成することができる。この非耐力柱構造１は、内側に設備線Ｌを挿通可能な中空部Ｓを有しており、配線・配管構造として機能する。なお、本明細書において、設備線Ｌとは、電気配線等の配線だけではなく、給水管等の配管等も包含する概念である。本実施形態では、設備線Ｌとして電気配線Ｌ１、給水管Ｌ２、給湯管Ｌ３、空調機用冷媒管Ｌ４及び空調機用ドレン管Ｌ５を示すが、これらに限定されず、例えば、通信配線や、電気配線や通信配線を後工事にて挿通する為の呼び線が収容された空配管を含む。
【００１９】
まず、非耐力柱構造１の基本的な構成について説明する。図１及び図２に示されるように、非耐力柱構造１は、建物における床Ｆと天井Ｃとの間に立設される本体部２を備えている。本体部２は、複数の下地枠３と、複数の側板５とを有している。下地枠３は、例えば平面視矩枠状で、且つ、断面略Ｌ字状に形成されており、水平方向に延在する板状の水平部３ａと、水平部３ａの外縁から鉛直方向に立設する板状の鉛直部３ｂとを有している。下地枠３は、例えば、鋼製アングル枠によって形成され得る。
【００２０】
図示例の本体部２は、４つの下地枠３を有している。４つの下地枠３は、上下方向に離間して配置されている。４つの下地枠３のうち、本体部２の上端に配置される下地枠３は、上側に水平部３ａを向けている。また、４つの下地枠３のうち、本体部２の下端に配置される下地枠３は、下側に水平部３ａを向けている。本体部２の上端に配置される下地枠３と、本体部２の下端に配置される下地枠３との間に配置される下地枠３の上下の向きは任意である。なお、図示例では、これら中間に配置される下地枠３は、下側に水平部３ａを向けている。
【００２１】
下地枠３の水平部３ａ及び鉛直部３ｂには、固定用の複数の貫通孔３ｃが設けられている。図１に示される非耐力柱構造１では、本体部２が耐力壁１０の端面１０ａに隣接する配置となっている。図示例では、耐力壁１０の端面１０ａと、複数の下地枠３における端面１０ａに向いた鉛直部３ｂとが、貫通孔３ｃに挿通されたボルト等の締結部材によって互いに固定されている。
【００２２】
本体部２の上端に配置される下地枠３は、耐力壁１０の端面１０ａに固定されるとともに、天井Ｃにも固定されている。本実施形態では、貫通孔３ｃに挿通されたボルト等の締結部材によって下地枠３の水平部３ａが天井Ｃに固定されている。また、天井Ｃには、連通口Ｃ１が形成されている。この連通口Ｃ１は、下地枠３の水平部３ａによって形成される枠の内側と天井裏空間ＣＳとを連通している。
【００２３】
また、本体部２の下端に配置される下地枠３は、耐力壁１０の端面１０ａに固定されるとともに、床Ｆにも固定されている。例えば、貫通孔３ｃに挿通されたボルト等の締結部材によって下地枠３の水平部３ａが床Ｆに固定されてもよい。また、床Ｆには、連通口Ｆ１が形成されている。この連通口Ｆ１は、下地枠３の水平部３ａによって形成される枠の内側と床下空間ＦＳとを連通している。
【００２４】
複数の側板５のそれぞれは、矩形の板状をなしており、上端縁５ａと、下端縁５ｂと、左右の側端縁５ｃとを有している。側板５のうちの少なくとも１つには、設備線Ｌの取り出し部６が設けられている。取り出し部６は、設備線Ｌの種類に対応する形態を有している。図示例では、取り出し部６は、電気配線に対応した、例えばコンセントボックス６ａ及びスイッチボックス６ｂである。例えば、取り出し部６が設けられた側板５は、建物内に設けられた部屋に面するように配置される。また、側板５のうちの少なくとも１つには、作業用の点検口７が設けられている。点検口７は、例えば、上下方向に約６００ｍｍ、左右方向に約１５０ｍｍ程度の開口であってよく、開閉可能な扉７ａが設けられている。
【００２５】
複数の側板５は、４つの下地枠３を囲んだ状態で、ボルト等の締結部材によって下地枠３に固定される。すなわち、複数の側板５によって本体部２の側面が形成される。上記の通り、本実施形態では、複数の下地枠３が耐力壁１０の端面１０ａに固定されている。そのため、図示のように、複数の下地枠３における端面１０ａに向いた鉛直部３ｂ以外の鉛直部３ｂに対して、それぞれ側板５が固定される。すなわち、端面１０ａに向いた鉛直部３ｂと反対側の鉛直部３ｂには側板５１が固定され、耐力壁１０の一方側の壁面に沿った鉛直部３ｂには側板５２が固定され、耐力壁１０の他方側の壁面に沿った鉛直部３ｂには側板５３が固定される。
【００２６】
側板５２，５３の一方の側端縁５ｃは耐力壁１０の端面１０ａに向いている。この側端縁５ｃは例えば端面１０ａと接触していてもよい。また、側端縁５ｃと端面１０ａとの間に充填剤等が充填されていてもよい。側板５２，５３の他方の側端縁５ｃは、側板５１の側端縁５ｃと接触していてもよい。また、側端縁５ｃ同士の間に充填剤等が充填されていてもよい。図示例では、側板５２，５３の他方の側端縁５ｃと、側板５１の側端縁５ｃとにそれぞれ段部５ｄが形成されている。側板５が下地枠３に固定された状態では、側板５２，５３の他方の側端縁５ｃの段部５ｄと、側板５１の側端縁５ｃの段部５ｄとが、互いに組み合わさっている。
【００２７】
本実施形態における非耐力柱構造１の中空部Ｓは、非耐力柱構造１の長手方向（上下方向）に沿って延在し、耐力壁１０の端面１０ａと３つの側板５とによって囲まれることで区画されている。中空部Ｓは、床Ｆに形成された連通口Ｆ１を介して建物の床下空間ＦＳと連通している。また、中空部Ｓは、天井Ｃに形成された連通口Ｃ１を介して建物の天井裏空間ＣＳと連通している。本体部２の内部である中空部Ｓには、設備線Ｌが挿通され得る。本実施形態では、中空部Ｓに電気配線Ｌ１、給水管Ｌ２、給湯管Ｌ３、空調機用冷媒管Ｌ４及び空調機用ドレン管Ｌ５といった設備線Ｌが挿通されている。これらの設備線Ｌは、中空部Ｓ内において上下方向に延在し、天井Ｃの連通口Ｃ１を介して天井裏空間ＣＳに配設されるとともに、床Ｆの連通口Ｆ１を介して床下空間ＦＳに配設される。
【００２８】
本実施形態では、耐力壁１０の厚さＴ１は、例えば約２５０ｍｍである（図３参照）。非耐力柱構造１における本体部２は、耐力壁１０の厚さ以下の断面寸法Ｔ２を有している。例えば、本体部２における耐力壁１０の厚さ方向の断面寸法は、約２３０ｍｍである。なお、本体部２の断面寸法は特に限定されるものではなく、耐力壁１０の厚さを超える大きさであってもよい。
【００２９】
つぎに、非耐力柱構造１の基本的な配置の一例について説明する。図３及び図４は、非耐力柱構造１の建物内における配置関係の一例を示す平面図である。図３には、建物内に設けられた部屋Ｒ１の開口部（出入り口）Ｄに隣接して配置された非耐力柱構造１Ａ（１）の一例が示されている。この非耐力柱構造１Ａでは、本体部２が耐力壁１０の幅方向の端面１０ａに配置されており、本体部２の側面２ａが開口部Ｄの一部を形成している。図示例では、開口部Ｄに引き戸２１が設けられている。引き戸２１を引き込むための控え壁１３は、非耐力壁によって形成されており、別の耐力壁１０に固定されている。耐力壁１０の厚さＴ１の方向における控え壁１３の設置位置は、任意に決定してよい。なお、図示例では、控え壁１３が、耐力壁１０の厚さ方向の中央よりも部屋Ｒ１の外側に向かって偏って配置されている。
【００３０】
また、図３には、耐力壁１０と非耐力壁である間仕切り壁１５とに挟まれた状態で配置された本体部２を有する非耐力柱構造１Ｂ（１）が示されている。図示例の非耐力柱構造１Ｂは、例えば耐力壁１０の幅方向に沿った長さＴ３が、耐力壁１０の厚さ方向に沿った長さＴ４に比べて小さくなっている。一例として、耐力壁１０の幅方向に沿った長さＴ３が１２５ｍｍであり、耐力壁１０の厚さ方向に沿った長さＴ４が２３０ｍｍである。なお、この例では、間仕切り壁１５が非耐力柱構造１Ａと非耐力柱構造１Ｂとに挟まれた状態となっている。
【００３１】
図４には、開き戸（扉）２５が設けられた部屋Ｒ２の開口部Ｄに隣接して配置された非耐力柱構造の一例が示されている。この例では、開口部Ｄに隣接して一対の非耐力柱構造１Ｃ，１Ｄが配置されている。非耐力柱構造１Ｃを構成する本体部２は、耐力壁１０に固定された間仕切り壁１５に固定されている。また、非耐力柱構造１Ｄを構成する本体部２は、耐力壁１０の幅方向の端面１０ａに固定されている。非耐力柱構造１Ｃの本体部２と非耐力柱構造１Ｄの本体部２との互いに対向する側板５には、扉枠２７が取り付けられている。そして、この扉枠２７に開き戸２５が取り付けられている。
【００３２】
つぎに、建物内における非耐力柱構造１の具体的な配置について説明する。図５及び図６は、非耐力柱構造１が配置された建物の間取りの一例を示す平面図である。建物１００は、例えば２階建てであり、図５は１階の間取りを示し、図６は２階の間取りを示す。図５及び図６に示すように、耐力壁１０は、建物１００の外周壁を形成するとともに、建物１００の内側にも配置されている。建物１００の１階ＦＬ１には、玄関ホール１００ａ、玄関ホール１００ａに繋がる階段１００ｂ、階段１００ｂに隣接するトイレ１００ｃ、トイレ１００ｃに隣接する浴室１００ｄ、浴室１００ｄに隣接する脱衣スペース１００ｅ、玄関ホール１００ａと隣り合うキッチン１００ｆ、キッチン１００ｆに隣接するダイニング１００ｇ、及び、キッチン１００ｆとダイニング１００ｇとに繋がるリビング１００ｈが設けられている。なお、この例では、玄関ホール１００ａが吹き抜けになっており、２階ＦＬ２まで繋がっている。
【００３３】
キッチン１００ｆとトイレ１００ｃ及び脱衣スペース１００ｅとの間には、廊下１００ｉが設けられている。廊下１００ｉは、脱衣スペース１００ｅ、キッチン１００ｆ及びリビング１００ｈに繋がっている。また、リビング１００ｈは、建物１００の外側に設けられたデッキ１００ｊに面している。リビング１００ｈを囲む耐力壁１０のうちデッキ１００ｊに面した外周壁を形成する耐力壁１０には、窓部Ｗが設けられている。
【００３４】
建物１００の２階ＦＬ２には、１階ＦＬ１から続く階段１００ｂ、階段１００ｂに隣接する副寝室（クローゼット）１００ｋ、副寝室１００ｋと廊下１００ｍを挟んで向かい合う主寝室１００ｎ、副寝室１００ｋと主寝室１００ｎとの間に位置するトイレ１００ｐ、及び、主寝室１００ｎに隣接する居室１００ｑが設けられている。主寝室１００ｎは、１階ＦＬ１のキッチン１００ｆの上方に位置する。トイレ１００ｐは、１階ＦＬ１の脱衣スペース１００ｅの上方に位置する。居室１００ｑは、１階ＦＬ１のリビング１ｈの上方に位置する。また、居室１００ｑを囲む耐力壁１０のうち外周壁を形成する耐力壁１０には、窓部Ｗが設けられている。また、主寝室１００ｎは、建物１００の外側に設けられたバルコニー１００ｒに面している。主寝室１００ｎを囲む耐力壁１０のうちバルコニー１００ｒに面した外周壁を形成する耐力壁１０には、窓部Ｗが設けられている。
【００３５】
図示の間取りでは、１階に６カ所の非耐力柱構造１Ｅ〜１Ｊが形成されている。また、２階に３カ所の非耐力柱構造１Ｋ〜１Ｍが形成されている。以下、非耐力柱構造１Ｅ〜１Ｍが形成されている位置について説明する。まず、玄関ホール１００ａのドア１１０が固定されている耐力壁１０の端部に非耐力柱構造１Ｅ（１）が形成されている。この非耐力柱構造１Ｅでは、例えば、玄関照明、門灯、インターフォンなどへの電力供給が行われ得る。非耐力柱構造１Ｅの取り出し部６は、玄関照明及び門灯のスイッチボックスを構成してもよい。
【００３６】
また、階段１００ｂと玄関ホール１００ａとの中間位置に非耐力柱構造１Ｆ（１）が形成されている。この非耐力柱構造１Ｆでは、例えば、階段照明への電力供給が行われ得る。非耐力柱構造１Ｆの取り出し部６は、階段照明のスイッチボックスを構成してもよい。また、非耐力柱構造１の取り出し部６は、玄関照明及び門灯のスイッチボックスを構成してもよい。
【００３７】
また、トイレ１００ｃの出入り口（開口部）に隣接して非耐力柱構造１Ｇ（１）が形成されている。この非耐力柱構造１Ｇでは、例えば、トイレ内照明、換気扇、洗浄便座などへの電力供給が行われ得る。非耐力柱構造１Ｇの取り出し部６は、トイレ内照明及び換気扇のスイッチボックスを構成してもよい。
【００３８】
また、脱衣スペース１００ｅの角部１２０に非耐力柱構造１Ｈ（１）が形成されている。この例では、非耐力柱構造１Ｈが配置される角部１２０は、２つの非耐力壁が直交して形成されている。図示例の間取りでは、脱衣スペース１００ｅが、浴室１００ｄ、トイレ１００ｃ、キッチン１００ｆといった水回りの設備に隣接している。また、脱衣スペース１００ｅの上方には２階ＦＬ２のトイレ１００ｐが配置されている。そのため、この例では、脱衣スペース１００ｅの非耐力柱構造１Ｈに浴室１００ｄ、トイレ１００ｃ，１００ｐ及びキッチン１００ｆからの排水のための排水管が挿通されてもよい。
【００３９】
また、キッチン１００ｆとリビング１００ｈとの間仕切りとしても機能する耐力壁１０の端部に非耐力柱構造１Ｉ（１）が形成されている。この非耐力柱構造１Ｉでは、廊下１００ｉの照明、キッチン１００ｆの照明、リビング１００ｈの照明などへの電力供給、及び、キッチン１００ｆ等への給水が行われ得る。また、非耐力柱構造１Ｉの取り出し部６は、廊下１００ｉの照明、キッチン１００ｆの照明及びリビング１００ｈの照明のスイッチボックスを構成してもよい。
【００４０】
また、リビング１００ｈのデッキ１００ｊに面する窓部Ｗが設けられた耐力壁１０には、窓部Ｗに隣接して非耐力柱構造１Ｊ（１）が形成されている。この非耐力柱構造１Ｊでは、リビング１００ｈの照明などへの電力供給が行われ得る。また、非耐力柱構造１Ｊの取り出し部６は、リビング１００ｈの照明のスイッチボックスを構成してもよい。なお、この非耐力柱構造１Ｊは、リビング１００ｈとダイニング１００ｇとをつなぐ出入り口（開口部Ｄ）に面している。
【００４１】
また、２階ＦＬ２の階段１００ｂと副寝室１００ｋとの間仕切りとして機能する耐力壁１０の端部には、非耐力柱構造１Ｋ（１）が形成されている。この非耐力柱構造１Ｋでは、階段照明、副寝室１００ｋの照明等への電力供給が行われ得る。また、非耐力柱構造１Ｋの取り出し部６は、階段照明及び副寝室１００ｋの照明のスイッチボックスを構成してもよい。
【００４２】
また、主寝室１００ｎと居室１００ｑとの間仕切りとして機能する耐力壁１０の端部には、非耐力柱構造１Ｌ（１）が形成されている。この非耐力柱構造１Ｌでは、主寝室１００ｎの照明、居室１００ｑの照明等への電力供給が行われ得る。また、非耐力柱構造１Ｌの取り出し部６は、主寝室１００ｎの照明及び居室１００ｑの照明のスイッチボックスを構成してもよい。非耐力柱構造１Ｌは、１階ＦＬ１の非耐力柱構造１Ｉの真上に位置している。そのため、非耐力柱構造１Ｉに挿通された設備線Ｌがそのまま非耐力柱構造１Ｌに挿通されてもよい。この場合、トイレ１００ｐへの給水は、非耐力柱構造１Ｌを介して行われ得る。
【００４３】
また、居室１００ｑの窓部Ｗが設けられた耐力壁１０には、窓部Ｗに隣接して非耐力柱構造１Ｍ（１）が形成されている。図示例では、非耐力柱構造１（１Ｍ）が主寝室１００ｎの窓部Ｗにも隣接している。この非耐力柱構造１Ｍでは、主寝室１００ｎの照明、居室１００ｑの照明等への電力供給が行われ得る。また、非耐力柱構造１Ｍの取り出し部６は、主寝室１００ｎの照明及び居室１００ｑの照明のスイッチボックスを構成してもよい。非耐力柱構造１Ｍは、１階ＦＬ１の非耐力柱構造１Ｊの真上に位置している。そのため、非耐力柱構造１Ｊに挿通された設備線Ｌがそのまま非耐力柱構造１Ｍに挿通されてもよい。
【００４４】
また、非耐力柱構造１Ｅ〜１Ｍの取り出し部６は、電力取り出しのためのコンセントボックスを構成してもよい。この場合、リビング１００ｈとダイニング１００ｇとの出入り口に面する非耐力柱構造１Ｊのコンセントボックスは、リビング１００ｈとダイニング１００ｇとの両方に面するように二カ所に配置されてもよい。同様に、非耐力柱構造１Ｍのコンセントボックスは、主寝室１００ｎと居室１００ｑとの両方に面するように配置されてもよい。
【００４５】
以上説明した非耐力柱構造１では、取り出し部６が設けられた本体部２の中空部Ｓに設備線Ｌを挿通することができる。そのため、例えば組積造による耐力壁を施工する際に、設備線Ｌを配置するための空洞等が設けられた専用のブロックを使用する必要がない。また、ＲＣ造による耐力壁を施工する場合には、耐力壁を構成する壁体に設備線を配置するための空洞を設けることや、管体を埋設する必要がない。これにより、施工の手間を省くことができる。また、耐力壁内に空洞のような欠損部を形成しないので、耐力壁の構造耐力が低下することが抑制される。また、コンセントボックス６ａやスイッチボックス６ｂのような取り出し部６が設けられているので、別途コンセントボックス等を設置する手間を省くことができる。
【００４６】
また、中空部Ｓは、床Ｆを介して建物１００の床下空間ＦＳと連通している。また、中空部Ｓは、天井Ｃを介して建物１００の天井裏空間ＣＳと連通している。このような構成によれば、床下空間ＦＳや天井裏空間ＣＳを利用することによって、設備線Ｌの横引きを容易に行うことができる。
【００４７】
また、本体部２は、耐力壁１０の端面１０ａに設置されている。この場合、本体部２が耐力壁１０に沿って配置されることになる。例えば、本体部２は、耐力壁１０の壁面に固定されてもよいが、この場合には、本体部２が壁面から室内側に張り出すことになる。上記実施形態のように、本体部２が耐力壁１０の端面１０ａに設置されることによって、本体部２の室内空間側への張り出しを抑制し、室内空間を有効に利用できる。
【００４８】
また、本体部２は、耐力壁１０の厚さＴ１以下の断面寸法Ｔ２を有している。これにより、耐力壁１０の端面１０ａに固定された本体部２０が、耐力壁１０の壁面から突出することを抑制でき、更に室内空間を有効に利用できる。
【００４９】
また、本体部２は、建物１００内に設けられた部屋Ｒの開口部Ｄに隣接して配置されていてもよい。一般に、開口部Ｄ周辺には家具等が配置されにくい傾向にある。そのため、開口部Ｄに隣接して本体部２が配置された場合には、本体部２における設備線Ｌの取り出し部６が家具等の陰になりにくい。また、スイッチボックスを部屋の出入り口近傍に配置し易くなる。
【００５０】
また、開口部Ｄには、開き戸２５などの扉が設置されており、本体部２には、扉を設置するための扉枠２７が取り付けられていてもよい。この場合、扉枠２７を固定するための下地材が不要となるので、扉を取り付ける際の手間を省くことができ、さらに、開口部Ｄの有効幅を大きくすることができる。
【００５１】
また、本体部２は、建物１００の外周壁に形成された窓部Ｗに隣接して配置されていてもよい。一般に、窓部Ｗの周辺には家具等が配置されにくいので、窓部Ｗに隣接して本体部２が配置された場合には、本体部２における設備線Ｌの取り出し部６が家具等の陰になりにくい。
【００５２】
以上、本発明の実施の形態について図面を参照して詳述したが、具体的な構成はこの実施形態に限られるものではない。
【００５３】
例えば、建物１００を構成する耐力壁１０の内部に設備線が一切設けられていない例を示したが、これに限定されるものではない。すなわち、本発明の一形態は、耐力壁を備える壁式構造の建物に設置される非耐力柱構造であればよく、当該耐力壁内に設備線が設けられた形態を排除しない。
【００５４】
また、取り出し部６として電気配線Ｌ１に接続されたコンセントボックス及びスイッチボックスを例示したが、これに限定されない。取り出し部６は、給水管Ｌ２、給湯管Ｌ３、空調機用冷媒管Ｌ４及び空調機用ドレン管Ｌ５の取り出し部であってもよい。この場合、側板５に開口等を設けることによって、給水管Ｌ２、給湯管Ｌ３、空調機用冷媒管Ｌ４及び空調機用ドレン管Ｌ５のいずれかの管から分岐された支管を、側板５の開口等に挿通する形態であってもよい。
【００５５】
また、耐力壁１０又は間仕切り壁１５に固定された非耐力柱構造１を例示したが、これに限定されない。非耐力柱構造１は、耐力壁１０及び間仕切り壁１５以外の他の構造物に固定されていてもよい。また、非耐力柱構造１は、耐力壁１０及び間仕切り壁１５から離間した状態で、天井Ｃと床Ｆとの間に立設されてもよい。この場合、非耐力柱構造１は、４つの側板５を備えることになる。
【００５６】
また、開口部Ｄに設けられる扉枠として開き戸２５の扉枠２７を例示したが、これに限定されない。例えば、部屋の出入り口に引き戸タイプの扉を設ける場合には、引き戸の扉枠が設けられてもよい。
【符号の説明】
【００５７】
１…非耐力柱構造、１Ａ〜１Ｍ…非耐力柱構造、２…本体部、５…側板（側面）、６…取り出し部、６ａ…コンセントボックス、６ｂ…スイッチボックス、１０…耐力壁、１０ａ…端面（端部）、２５…開き戸（扉）、２７…扉枠、１００…建物、Ｃ…天井、ＣＳ…天井裏空間、Ｆ…床、ＦＳ…床下空間、Ｌ…設備線、Ｔ１…耐力壁の厚さ、Ｔ２…本体部の断面寸法、Ｗ…窓部。
【図１】
2018016943.tif 000003
【図２】
2018016943.tif 000004
【図３】
2018016943.tif 000005
【図４】
2018016943.tif 000006
【図５】
2018016943.tif 000007
【図６】
2018016943.tif 000008